(57)【要約】【課題】容易かつ確実に作動するシート式スイッチを提供する。【解決手段】シート式スイッチはスイッチ端子３１を有する。スイッチ端子３１は複数の第１細長状領域８２ａを有する一方の端子部８２と、複数の第２細長状領域８３ａを有する他方の端子部８３とを有し、第１細長状領域８２ａと第２細長状領域８３ａは互いに入り込んでいる。第１細長状領域８２ａと第２細長状領域８３ａとの間の非接触領域８５は、スイッチ端子用導電部３８の全域に対応して配置されている。【選択図】図７
2017220378.tif 000002
【特許請求の範囲】
【請求項１】
一対のシートに設けられ、外部から押圧されるシート式スイッチにおいて、
一方のシートの外面に設けられた絵柄部と、
前記一方のシートの内面に、前記絵柄部に対応して設けられたスイッチ端子用導電部と、
他方のシートの内面に設けられたスイッチ端子とを備え、
前記スイッチ端子は前記スイッチ端子用導電部に対応して設けられるとともに、一方の端子部と他方の端子部とを有し、
これら一方の端子部と他方の端子部は、各々第１細長状領域と第２細長状領域を有し、前記第１細長状領域と前記第２細長状領域は互いに入り込んで互いの間に帯状の非接触領域が形成され、前記非接触領域は前記スイッチ端子用導電部の全域に対応して配置される、シート式スイッチ。
【請求項２】
前記一方の端子部はくし型の複数の第１細長状領域を有し、
前記他方の端子部はくし型の複数の第２細長状領域を有する、請求項１記載のシート式スイッチ。
【請求項３】
前記一方の端子部は渦巻型の第１細長状領域を有し、
前記他方の端子部は渦巻型の第２細長状領域を有する、請求項１記載のシート式スイッチ。
【請求項４】
前記非接触領域の幅は０．１〜４．０ｍｍとなっている、請求項１乃至３のいずれか記載のシート式スイッチ。
【請求項５】
前記スイッチ端子を囲む非導電性部材が設けられている、請求項１乃至４のいずれか記載のシート式スイッチ。
【請求項６】
導電回路を有する回路基板と、
前記回路基板の導電回路に接続され外部から押圧されるシート式スイッチとを備え、
前記回路基板は一対のシートを有し、
前記シート式スイッチは、
一方のシートの外面に設けられた絵柄部と、
前記一方のシートの内面に、前記絵柄部に対応して設けられたスイッチ端子用導電部と、
他方のシートの内面に設けられたスイッチ端子とを備え、
前記スイッチ端子は前記スイッチ端子用導電部に対応して設けられるとともに、一方の端子部と他方の端子部とを有し、
これら一方の端子部と他方の端子部は、各々第１細長状領域と第２細長状領域を有し、前記第１細長状領域と前記第２細長状領域は互いに入り込んで互いの間に帯状の非接触領域が形成され、前記非接触領域は前記スイッチ端子用導電部の全域に対応して配置される、回路装置。
【請求項７】
導電回路を有する回路基板と、
この回路基板にコネクタを介して接続された通信モジュールと、
前記回路基板の導電回路に接続され外部から押圧される複数のシート式スイッチとを備え、
前記通信モジュールはＩＣチップと、このＩＣチップに電源電圧を供給するボタン電池を有し、
前記ＩＣチップは複数のシート式スイッチのうち押圧して選択されたシート式スイッチを特定する情報と、押圧された時刻を時系列で記録する記録部と、前記記録部を制御する制御部と、外部のホスト装置との間で近接通信を行う無線通信部とを有し、
前記回路基板は一対のシートを有し、
各シート式スイッチは、
一方のシートの外面に設けられた絵柄部と、
前記一方のシートの内面に、前記絵柄部に対応して設けられたスイッチ端子用導電部と、
他方のシートの内面に設けられたスイッチ端子とを備え、
前記スイッチ端子は前記スイッチ端子用導電部に対応して設けられるとともに、一方の端子部と他方の端子部とを有し、
これら一方の端子部と他方の端子部は、各々第１細長状領域と第２細長状領域を有し、前記第１細長状領域と前記第２細長状領域は互いに入り込んで互いの間に帯状の非接触領域が形成され、前記非接触領域は前記スイッチ端子用導電部の全域に対応して配置される、情報記録装置。
【請求項８】
前記回路基板の導電回路に、破断可能な複数の破断可能スイッチが接続され、
前記ＩＣチップの記録部は破断可能スイッチのうち、押圧して破断された破断可能スイッチを特定する情報と、破断された時刻を時系列で記録する、請求項７記載の情報記録装置。
【発明の詳細な説明】
【技術分野】
【０００１】
本実施の形態は、シート式スイッチ、回路装置および情報記録装置に係り、とりわけ確実に導通することができるシート式スイッチ、回路装置および情報記録装置に関する。
【背景技術】
【０００２】
シート上に導電パターンをシルク印刷し、導電パターンの端子部に導電性接着剤を介して通信モジュールのパッドを電気的に接続したシート状の検定装置が実用化されている。
【０００３】
特許文献１に開示された検定装置は、郵便物としてユーザに送付でき、受け取ったユーザが表紙を剥がすと、内側の頁には、いくつかの選択ボタンとその説明文が設けられており、説明文の内容にしたがって任意の選択ボタンを押圧すると、その情報が紙基板に埋め込まれた通信モジュールに記憶され、記憶された情報は近接無線通信でホスト装置で読み出せるようにしている。
【０００４】
ところで、このような検定装置において、絵柄からなる選択ボタンは外部から押圧されて閉となるシート式スイッチを構成する。しかしながらこの押圧タイプのシート式スイッチは、シートの外面に形成された絵柄を押圧するタイプのスイッチであり、絵柄の中央を押圧した場合は正しく作動するが、少しでも絵柄の中央から外れると、確実に作動しないことがある。
【先行技術文献】
【特許文献】
【０００５】
【特許文献１】特表２００８−５１６２４８号公報
【特許文献２】特開平７−２２０９９号公報
【発明の概要】
【発明が解決しようとする課題】
【０００６】
本実施の形態は、このような点を考慮してなされたものであり、シートの外面に形成された絵柄のうち、どの部分を押しても確実に作動するシート式スイッチ、回路装置および情報記録装置を提供することを目的とする。
【課題を解決するための手段】
【０００７】
本発明は、一対のシートに設けられ、外部から押圧されるシート式スイッチにおいて、一方のシートの外面に設けられた絵柄部と、前記一方のシートの内面に、前記絵柄部に対応して設けられたスイッチ端子用導電部と、他方のシートの内面に設けられたスイッチ端子とを備え、前記スイッチ端子は前記スイッチ端子用導電部に対応して設けられるとともに、一方の端子部と他方の端子部とを有し、これら一方の端子部と他方の端子部は、各々第１細長状領域と第２細長状領域を有し、前記第１細長状領域と前記第２細長状領域は互いに入り込んで互いの間に帯状の非接触領域が形成され、前記非接触領域は前記スイッチ端子用導電部の全域に対応して配置される、シート式スイッチである。
【０００８】
本発明は、前記一方の端子部はくし型の複数の第１細長状領域を有し、前記他方の端子部はくし型の複数の第２細長状領域を有する、シート式スイッチである。
【０００９】
本発明は、前記一方の端子部は渦巻型の第１細長状領域を有し、前記他方の端子部は渦巻型の第２細長状領域を有する、シート式スイッチである。
【００１０】
本発明は、前記非接触領域の幅は０．１〜２．０ｍｍとなっている、シート式スイッチである。
【００１１】
本発明は、前記スイッチ端子を囲む非導電性部材が設けられている、シート式スイッチである。
【００１２】
本発明は、導電回路を有する回路基板と、前記回路基板の導電回路に接続され外部から押圧されるシート式スイッチとを備え、前記回路基板は一対のシートを有し、前記シート式スイッチは、一方のシートの外面に設けられた絵柄部と、前記一方のシートの内面に、前記絵柄部に対応して設けられたスイッチ端子用導電部と、他方のシートの内面に設けられたスイッチ端子とを備え、前記スイッチ端子は前記スイッチ端子用導電部に対応して設けられるとともに、一方の端子部と他方の端子部とを有し、これら一方の端子部と他方の端子部は、各々第１細長状領域と第２細長状領域を有し、前記第１細長状領域と前記第２細長状領域は互いに入り込んで互いの間に帯状の非接触領域が形成され、前記非接触領域は前記スイッチ端子用導電部の全域に対応して配置される、回路装置である。
【００１３】
本発明は、導電回路を有する回路基板と、この回路基板にコネクタを介して接続された通信モジュールと、前記回路基板の導電回路に接続され外部から押圧される複数のシート式スイッチとを備え、前記通信モジュールはＩＣチップと、このＩＣチップに電源電圧を供給するボタン電池を有し、前記ＩＣチップは複数のシート式スイッチのうち押圧して選択されたシート式スイッチを特定する情報と、押圧された時刻を時系列で記録する記録部と、前記記録部を制御する制御部と、外部のホスト装置との間で近接通信を行う無線通信部とを有し、前記回路基板は一対のシートを有し、各シート式スイッチは、一方のシートの外面に設けられた絵柄部と、前記一方のシートの内面に、前記絵柄部に対応して設けられたスイッチ端子用導電部と、他方のシートの内面に設けられたスイッチ端子とを備え、前記スイッチ端子は前記スイッチ端子用導電部に対応して設けられるとともに、一方の端子部と他方の端子部とを有し、これら一方の端子部と他方の端子部は、各々第１細長状領域と第２細長状領域を有し、前記第１細長状領域と前記第２細長状領域は互いに入り込んで互いの間に帯状の非接触領域が形成され、前記非接触領域は前記スイッチ端子用導電部の全域に対応して配置される、情報記録装置である。
【００１４】
本発明は、前記回路基板の導電回路に、破断可能な複数の破断可能スイッチが接続され、前記ＩＣチップの記録部は破断可能スイッチのうち、押圧して破断された破断可能スイッチを特定する情報と、破断された時刻を時系列で記録する、情報記録装置である。
【発明の効果】
【００１５】
本実施の形態によれば、シート式スイッチはシート外面に形成された絵柄のうち、どの部分を押しても確実に作動する。
【図面の簡単な説明】
【００１６】
【図１】図１は本実施の形態に係る情報記録装置の外観図。
【図２】図２は図１の情報記録装置の展開図。
【図３】図３は通信モジュールの概略構成を示すブロック図。
【図４】図４はＡＳＩＣの内部構成の一例を示すブロック図。
【図５】図５は服薬記録カードの元となる紙基板を展開した図。
【図６】図６（ａ）（ｂ）（ｃ）はスタートボタン、導電パターン、スイッチ接点を示す図。
【図７】図７はスイッチ接点を示す詳細図。
【図８】図８（ａ）（ｂ）（ｃ）は変形例によるスタートボタン、導電パターン、スイッチ接点を示す図。
【図９】図９（ａ）（ｂ）（ｃ）は変形例によるスタートボタン、導電パターン、スペーサ、スイッチ接点を示す図。
【図１０】図１０（ａ）（ｂ）は変形例によるスイッチ接点を示す図。
【図１１】図１１（ａ）（ｂ）（ｃ）は比較例としてのスタートボタン、導電パターン、スイッチ接点を示す図。
【図１２】図１２（ａ）（ｂ）（ｃ）は比較例としてのスタートボタン、導電パターン、スイッチ接点を示す図。
【図１３】図１３（ａ）（ｂ）（ｃ）は実施例１の評価用サンプルを示す図。
【図１４】図１４（ａ）（ｂ）（ｃ）は実施例２の評価用サンプルを示す図。
【図１５】図１５（ａ）（ｂ）（ｃ）は実施例３の評価用サンプルを示す図。
【図１６】図１６（ａ）（ｂ）は実施例３の評価用サンプルを示す図。
【図１７】図１７（ａ）（ｂ）（ｃ）は比較例１の評価用サンプルを示す図。
【図１８】図１８（ａ）（ｂ）（ｃ）は比較例２の評価用サンプルを示す図。
【図１９】図１９（ａ）（ｂ）（ｃ）は比較例３の評価用サンプルを示す図。
【図２０】図２０（ａ）（ｂ）は比較例３の評価用サンプルを示す図。
【図２１】図２１はスタートボタンの押圧する指定箇所を示す図。
【図２２】図２２はスタートボタンの押圧する指定箇所を示す図。
【発明を実施するための形態】
【００１７】
＜本実施の形態＞
以下、本実施の形態について、詳細に説明する。  
本実施の形態は、患者が薬を服用した日時と服用後の具合を記録する情報記録装置（回路装置ともいう）であって、図１はその外観図である。図１の情報記録装置は、シート状の服薬記録カード１からなり、折り畳み式になっていて、展開すると図２のような情報入力面２が現れる。情報記録装置としての服薬記録カード１は後述する紙基板３０と、紙基板３０上に設けられた導電回路１８Ａと、この導電回路１８Ａに回路コネクタ８０を介して接続された無線送信可能な通信モジュール１０とを備えている（図３および図５参照）。
【００１８】
このうち紙基板３０と、この紙基板３０上に設けられた導電回路１８Ａとにより、回路基板７０が構成されている。
【００１９】
次に服薬記録カードからなる情報記録装置１について更に述べる。服薬記録カード１は患者が病院での診察を終えて、処方箋に基づいて薬の調合が終わった段階で患者に渡されるものである。この服薬記録カード１では、患者が薬を服用した後に、患者自ら選択ボタンを押圧して、体の具合を記録できるようにしている。
【００２０】
図２の服薬記録カード１の情報入力面２は３面構成であり、第１面２ａには後述するシート式スイッチを構成するスタートボタン３と取り消しボタン４が設けられ、第２面２ｂには患者が服用すべき薬（錠剤）５が配置され、第３面２ｃには患者の症状の度合いを入力するためのシート式スイッチを構成する選択ボタン６，７が配置されている。第１面２ａの裏面側が図１の「服薬記録カード１」と記載された面である。
【００２１】
第３面２ｃには、薬の効用に関連する複数の症状が記載されている。図２の例では、（１）症状１、（２）症状２、（３）症状３、（４）症状４および（５）症状５の計５種類の症状が記載され、各症状ごとに、３通りの度合い（重度、中度、軽度）から一つを選択可能になっている。患者は、まず、５種類の症状に対応する選択ボタン６ａ〜６ｅからなる第１ボタン列６のいずれかを押圧して、特定の症状を選択した後に、引き続いて、その症状の度合いに対応する選択ボタン７ａ〜７ｃからなる第２ボタン列７のいずれかを押圧する。これにより、患者は、薬を服用した後に特定の症状の度合いを入力できる。患者は、必ずしも５種類の症状のすべてに回答する必要はなく、一部の症状のみに回答してもよい。
【００２２】
第１ボタン列６を構成する各選択ボタン６ａ〜６ｅは図２のＸ方向に沿って配置され、第２ボタン列７を構成する各選択ボタンは、第１ボタン列６に略平行にＹ方向に沿って複数列にわたって配置されている。
【００２３】
なお、第３面２ｃに記載された症状とその度合いは、あくまで一例にすぎず、薬の種類によって任意に変更して構わない。
【００２４】
患者は、服薬記録カード１の使用を開始するときに、スタートボタン３を押圧する。その後、患者は、第２面２ｂに配置された錠剤５のケース５Ａを指で押し込んで、第２面２ｂの下面側から薬を取り出して、服用する。そして、服用後の症状の度合いに該当する選択ボタン６，７を押圧する。ここで錠剤５のケース５Ａは後述のように破断検知ボタンを構成する。
【００２５】
患者が押圧したスタートボタン３、取り消しボタン４、錠剤５の各ケース５Ａおよび各選択ボタン６，７の情報は、服薬記録カード１内に内蔵された通信モジュール１０に自動的に記憶される仕組みになっている。
【００２６】
図３は上述した無線通信可能な通信モジュール１０の概略構成を示すブロック図である。図３の通信モジュール１０は、樹脂基板１１の上に実装されたＩＣチップとしてのＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１２と、水晶振動子１３と、ボタン電池１４と、スピーカ１５と、フィルム基板１１の長辺に沿って形成される複数のパッド１６と、樹脂基板１１の外縁部に沿って形成されるアンテナパターン１７ａと、樹脂基板１１上に形成される導電パターン１７ｂとを有する。
【００２７】
図３は通信モジュール１０の内部構成を機能化したブロック図であり、実際の各回路部品やパターンの配置やサイズ、形状、個数は任意に変更可能である。
【００２８】
図４はＡＳＩＣ１２の内部構成の一例を示すブロック図である。図４のＡＳＩＣ１２は、患者が押圧したスタートボタン３、取り消しボタン４、錠剤５の各ケース５Ａおよび各選択ボタン６，７の情報を時刻情報とともに時系列で記憶する記憶部２１と、記憶部２１に押圧情報を記憶する制御を行う制御部２２と、不図示のホストコンピュータとの間で無線通信を行う無線通信部２３とを有する。
【００２９】
記憶部２１は、患者が押圧したボタンを特定する情報と、そのボタンが押圧された時刻情報とを組にして記憶する。取り消しボタン４は、取り消しボタン４が押圧される直前に押圧されたボタンの情報を取り消すことを意図したものである。ホストコンピュータは、記憶部２１に取り消しボタン４の押圧を特定する情報と、そのボタンが押圧された時刻情報とが記憶されている場合は、取り消しボタン４の直前に押圧されたボタンの情報を取り消す。
【００３０】
無線通信部２３は、ホストコンピュータとの間で、いわゆるＮＦＣ（Ｎｅａｒ  Ｆｉｅｌｄ  Ｃｏｍｍｕｎｉｃａｔｉｏｎ、近接無線通信）を行って、情報の送受を行う。無線通信部２３が無線通信に用いる方式や周波数帯域は特に制限されるものではなく、例えば１３．５６ＭＨｚの帯域でＩＳＯ１４４４３に準拠した無線方式で無線通信を行う。
【００３１】
ＮＦＣでは、規格上電力の送受もできるため、電池なしで通信モジュール１０を駆動することも原理的には可能である。ただし、本実施形態の通信モジュール１０は、スピーカ１５も備えており、電力の消費量が比較的大きいため、ボタン電池１４を搭載している。
【００３２】
次に、本実施形態に係る服薬記録カード１の具体的構造について説明する。上述した服薬記録カード１は、１枚の紙基板を縦方向に三等分して折り畳んだ三層構造であり、その表面に図２に示す情報入力面２が現れるようにしている。これをさらに横方向に三等分して折り畳むと図１に示す構造になる。以下では、大元の１枚の紙基板に形成される導電パターンについて説明する。
【００３３】
図５は服薬記録カード１の元となる紙基板３０を展開した図である。図５の紙基板３０を縦方向に三等分した折り目６１で分割した各分割基板３０ａ，３０ｂ，３０ｃには、それぞれ異なる導電パターン１８や切り欠き等が設けられる。なお、これら３つの分割基板３０ａ〜３０ｃは、折り目６１で折り曲げ可能とされており、物理的に切り離されるものではない。
【００３４】
図５の中央の分割基板３０ｂは、最下層に配置されて導電パターン１８が形成される最下層基板３０ｂである。その右側の分割基板３０ｃは、主に切り欠き６２とミシン目６３が形成され、最下層基板３０ｂの上に配置される中間層基板３０ｃである。最下層基板３０ｂの左側の分割基板３０ａには、スイッチ接点の導通／遮断を行う導電パターン（スイッチ端子用導電部）３８が形成されている。この分割基板３０ａは中間層基板３０ｃの上に配置される最上層基板３０ａとなる。
【００３５】
後述するように、三等分された最下層基板３０ｂに中間層基板３０ｃを折り畳んで熱圧着した後に、その上に最上層基板３０ａを折り畳んで熱圧着することにより、図２の構造が得られる。したがって、図５に示す最上層基板３０ａの裏面側が、図２に示す情報入力面２になる。
【００３６】
最下層基板３０ｂの上に中間層基板３０ｃを折り畳んで熱圧着する前に、最下層基板３０ｂに通信モジュール１０が接合され、その上に中間層基板３０ｃが熱圧着される。さらに中間層基板３０ｃの上に最上層基板３０ａが熱圧着される。このように、通信モジュール１０は、最下層基板３０ｂと最上層基板３０ａの間に挟み込まれる。これにより、最下層基板３０ｂの表面に形成された導電パターン１８と通信モジュール１０は、服薬記録カード１の完成状態では、外見に現れない。通信モジュールは、最下層基板３０ｂの上に中間層基板３０ｃを折り畳んで熱圧着した後に最下層基板３０ｂの上に熱圧着することもできる。
【００３７】
次に、最下層基板３０ｂの表面に形成された導電パターン１８について図５を用いて説明する。図５の導電パターン１８は、横方向に三等分された第１〜第３面２ａ〜２ｃからなる情報入力面２に対応した第１〜第３パターン面３０ｂ１〜３０ｂ３を有する。
【００３８】
第１パターン面３０ｂ１は、スタートボタン３に対応したスイッチ接点（スイッチ端子）３１と、取り消しボタン４に対応したスイッチ接点（スイッチ端子）３２とを有する。第２パターン面３０ｂ２は、錠剤５の各ケース５Ａに対応した計６つの破断領域３３を有する。第３パターン面３０ｂ３は、患者の症状および症状の程度を選択する各選択ボタン６，７に対応した計１５個のスイッチ接点（スイッチ端子）３４〜３７を有する。
【００３９】
これらスイッチ接点３１〜３７のうち、錠剤５の各ケース５Ａに対応した計６つのスイッチ接点３３は初期状態で導通しており、それ以外の全てのスイッチ接点３１，３２，３４〜３７は初期状態で遮断されている。
【００４０】
錠剤５の各ケース５Ａに対応したスイッチ接点３３は、ケースを押圧して錠剤５を取り出す際に物理的に破断されて、電気的導通が遮断される。それ以外のスイッチ接点３１，３２，３４〜３７は、対応するボタンを押圧したときに、情報入力面２の裏面側に設けられた円形の導電パターン３８が対応するスイッチ接点に接触して、押圧している間だけ一時的に導通する。
【００４１】
このように、スイッチ接点３１〜３７の中には、初期状態で電気的に導通しているものと、電気的に遮断されているものとがある。各スイッチ接点を物理的に破断するか、各スイッチ接点に別の導電パターンを接触させることにより、スイッチ接点の状態を切り替えることができる。
【００４２】
図５に示す各スイッチ接点３１〜３７の一端は、導電パターン１８を介して第１パターン面３０ｂ１上の端子部３９の対応する端子に接続され、他端はいずれも導電パターン１８を介して接地端子に接続されている。端子部３９には、スイッチ接点の総数分の端子が設けられ、これに加えて、端子部３９の両端側には接地端子が設けられている。接地端子から延びる導電パターン（以下、接地パターン１８ａ）は、第１〜第３パターン面３０ｂ３の外縁に沿って、他の導電パターンとスイッチ接点を取り囲むように形成されている。
【００４３】
この接地パターン１８ａは、ノイズの低減を図るために、他の導電パターンよりも太く形成されている。
【００４４】
ここで上述した導電パターン１８と接地パターン１８ａとにより、導電回路１８Ａが構成される。また導電回路１８Ａに端子部３９が接続される。また紙基板３０と、紙基板３０上に形成された導電回路１８Ａとにより通信モジュール１０が接合される前の導電回路付紙基板７０が構成される。
【００４５】
このように、すべてのスイッチ接点が、対応する端子と接地パターン１８ａとの間に接続されている。したがって、いずれかのスイッチ接点の状態が変化すると、その変化した情報が、専用の端子を介して通信モジュール１０に伝達されることになる。通信モジュール１０内の記憶部２１は、接点の状態が変化したスイッチ接点を特定する情報と、すなわち押圧された選択ボタンまたは破断位置を特定する情報と、接点の状態が変化した時刻情報とを記憶する。
【００４６】
第３パターン面３０ｂ３上の各スイッチ接点は、Ｘ方向に沿って配置される複数の選択ボタン６の列に対応して設けられた第１スイッチ接点３４と、Ｘ方向およびＹ方向に沿って配置される複数の選択ボタン７の列に対応して設けられた第２スイッチ接点３５〜３７とにグループ分けされている。
【００４７】
第２スイッチ接点３５〜３７のそれぞれにおける計５個のスイッチ接点３５〜３７の一端側はいずれも共通の端子に接続され、他端側はいずれも接地端子に接続されており、これら５個のスイッチ接点３５〜３７は並列接続されている。図５の例では、計５個のスイッチ接点３５〜３７が並列接続された第２スイッチ接点３５〜３７の列が計３個設けられている。
【００４８】
並列接続された各スイッチ接点３５〜３７の列内のどのスイッチ接点の状態が変化しても、その状態変化情報は同じ端子を介して通信モジュール１０に伝達されるため、通信モジュール１０では、どのスイッチ接点が変化したのかをその情報だけでは特定できない。そこで、本実施形態では、第２スイッチ接点３５〜３７の列内のスイッチ接点の状態を変化させる前に、第１スイッチ接点３４の列内のスイッチ接点の状態を変化させるようにルール化することで、第２スイッチ接点３５〜３７の列内のどのスイッチ接点の状態が変化したかを特定している。
【００４９】
より具体的には、まず第１スイッチ接点３４の列内のいずれかのスイッチ接点の状態を変化させて、このスイッチ接点のＸ方向位置を検出する。そして、同じＸ方向位置にある第２スイッチ接点３５〜３７の列内の計３個のスイッチ接点を選択候補として決定する。次に、これら３個のスイッチ接点の中で、状態が変化したものがあれば、そのスイッチ接点の情報を通信モジュール１０に伝達する。
【００５０】
このように、第１スイッチ接点３４の列内のスイッチ接点の状態変化情報と、第２スイッチ接点３５〜３７の列内のスイッチ接点の状態変化情報とを組み合わせることで、第２スイッチ接点３５〜３７の列内の特定のスイッチ接点の状態を正しく通信モジュール１０に伝達することができる。
【００５１】
複数のスイッチ接点を並列接続して、一端側を共通の端子に接続することにより、端子部３９内の端子の総数と導電パターン１８の数を削減できることから、特にパターン面積が限られている場合に有効である。第２スイッチ接点３５〜３７の列内の複数のスイッチ接点を並列接続しても、第２スイッチ接点３５〜３７の列と平行に配置された第１スイッチ接点３４の列内のスイッチ接点の状態と組み合わせることで、第２スイッチ接点３５〜３７の列内の特定のスイッチ接点の状態を正確に特定できるため、実用上の問題は起きない。
【００５２】
このように、本実施形態に係る服薬記録カード１は、スタートボタン３や各種の選択ボタンの他に、直前のボタン操作を取り消すための取り消しボタン４を具備するため、ボタンの誤操作による誤った情報が取消情報なく通信モジュール１０に伝達されるおそれがなくなり、通信モジュール１０およびホストコンピュータに伝達される情報の信頼性が向上する。
【００５３】
次に各種選択ボタン３，４，６，７および、これらに対応するスイッチ接点（スイッチ端子ともいう）について更に説明する。上述のように、最上層基板３０ａ外面のうち第１面２ａには、スタートボタン３および取り消しボタン４が設けられ、第３面２ｃには選択ボタン６，７が設けられている。またこれらスタートボタン３と取り消しボタン４、および選択ボタン６，７は、いずれも外方から押圧する目印となる絵柄を有している（図２参照）。
【００５４】
また図５に示すように、最上層基板３０ａ内面には、スタートボタン３および取り消しボタン４に対応して導電パターン（スイッチ端子用導電部）３８，３８が設けられ、また選択ボタン６，７に対応して導電パターン３８ｂ，３８ａが設けられている。
【００５５】
さらに最下層基板３０ｂの内面には、導電パターン３８，３８，３８ｂ，３８ａにより導通／遮断されるスイッチ接点（スイッチ端子）３１，３２，３４，３５，３６，３７が設けられている。
【００５６】
このうち、最上層基板３０ａは回路基板７０の一方のシートを構成し、最下層基板３０ｂは回路基板７０の他方のシートを構成する。また中間層基板３０ｃは、最上層基板３０ａ側の導電パターン３８，３８，３８ｂ，３８ａと、最下層基板３０ｂ側のスイッチ端子３１，３２，３４，３５，３６，３７を常時遮断させておくための非導電性部材として機能し、この中間層基板３０ｃには導電パターン３８，３８，３８ｂ，３８ａおよびスイッチ端子３１，３２，３４，３５，３６，３７を導通させるための切り欠き６２が形成されている。
【００５７】
そして、これらスタートボタン３、取り消しボタン４、選択ボタン６，７と、各種ボタン３，４，６，７に対応して設けられた導電パターン３８，３８，３８ｂ，３８ａと、導電パターン３８，３８，３８ｂ，３８ａにより導通／遮断されるスイッチ接点３１，３２，３４，３５，３６，３７とによりシート式スイッチを構成する。
【００５８】
次にスタートボタン３、取り消しボタン４、選択ボタン６，７と、これら各種ボタン３，４，６，７に対応して設けられた導電パターン３８，３８，３８ｂ，３８ａと、導電パターン３８，３８，３８ｂ，３８ａにより導通／遮断されるスイッチ接点３１，３２，３４，３５，３６，３７について、図６乃至図１０により詳述する。
【００５９】
本実施の形態において、スタートボタン３、取り消しボタン４、選択ボタン６，７は、互いに略同一構成をもち、また導電パターン３８，３８，３８ｂ，３８ａも互いに略同一構成をもち、さらにスイッチ端子３１，３２，３４，３５，３６，３７も互いに略同一構成をもつ。
【００６０】
このため、各種ボタンとして例えばスタートボタン３を例にとり、導電パターンとしてスタートボタン３に対応する導電パターン３８を例にとり、スイッチ接点として導電パターン３８に対応するスイッチ接点３１を例にとって説明する。
【００６１】
図６（ａ）（ｂ）（ｃ）（ｄ）に示すように、スタートボタン３は最上層基板３０ａ外面に設けられた円形状をなす絵柄８１を有し、図６（ａ）において絵柄８１は文字「Ａ」を含む。このためスタートボタン３は絵柄８１を有する絵柄部ともいうことができる。
【００６２】
また、図６（ｂ）に示すように、最上層基板３０ａ内面には、スタートボタン３に対応する位置に、かつスタートボタン３と略同一形状の円形状をなす導電パターン３８が設けられている。この場合、スタートボタン３と、導電パターン３８は、略同一の面積を占めている。
【００６３】
さらに最下層基板３０ｂ内面には、図６（ｃ）に示すように、導電パターン３８により導通／遮断されるスイッチ接点３１が設けられている。
【００６４】
このスイッチ接点３１は、図７に示すように、導電パターン３８に対応して設けられ、導電パターン３８よりも大きな外形をもつ。またスイッチ接点３１は一方の端子部８２と他方の端子部８３とを有し、全体として矩形状をなす。スイッチ接点３１の一方の端子部８２はくし型の複数の第１細長状領域８２ａを含む。さらに他方の端子部８３はくし型の複数の第２細長状領域８３ａを含む。
【００６５】
各第１細長状領域８２ａと各第２細長状領域８３ａは互いに入り込んで配置され、第１細長状領域８２ａと第２細長状領域８３ａとの間に帯状の非接触領域８５が形成されている。そしてこの非接触領域８５は、導電パターン３８の全域に対応して配置されている。
【００６６】
なお、図７において、帯状の非接触領域８５は、０．１〜４．０ｍｍ、好ましくは０．５〜１．５ｍｍの幅をもつ。
【００６７】
ここで図６（ｄ）に、スタートボタン３と、導電パターン３８と、スイッチ接点３１とを重ね合わせて示す。
【００６８】
図６（ａ）（ｂ）（ｃ）（ｄ）および図７において、外方から絵柄８１を含むスタートボタン６を押圧することにより、最上層基板３０のうちスタートボタン３の反対側の面に設けられた導電パターン３８がスイッチ接点３１を導通させる。この場合、スイッチ接点３１の一方の端子部８２と他方の端子部８３は、各々複数の第１細長状領域８２ａと複数の第２細長状領域８３ａを有し、これら第１細長状領域８２ａと第２細長状領域８３ａは互いに入り込んで配置され、第１細長状領域８２ａと第２細長状領域８３ａとの間の帯状の非接触領域８５は導電パターン３８の全域に渡って形成されている。このため絵柄８１を含むスタートボタン（絵柄部）３の中央部のみならず周縁部を押圧した場合であっても、導電パターン３８により第１細長状領域８２ａと第２細長状領域８３ａを導通させることができる。
【００６９】
このようにスタートボタン３の中央部および周縁部のいずれを押圧した場合であっても、導電パターン３８により第１細長状領域８２ａと第２細長状領域８３ａを導通させてスイッチ接点３１を閉とすることができるため、作動不良を生じさせることはなく、確実にスイッチ接点３１を作動させることができる。また、スイッチ接点３１は、導電パターン３８の外形より大きな外形をもち、スタートボタン３は導電パターン３８と略同一の外形をもつため、スタートボタン３の周縁部を押圧した場合でも、より確実にスイッチ接点３１を作動させることができる。
【００７０】
なお、図６（ａ）（ｂ）（ｃ）（ｄ）および図７において、便宜上、最上層基板３０ａと最下層基板３０ｂとを直接重ねる例を示したが、図２および図５に示す情報記録装置１においては、最上層基板３０ａと最下層基板３０ｂとの間に中間層基板３０ｃが介在され、この中間層基板３０ｃは導電パターン３８とスイッチ端子３１とを絶縁する非導電性部材として機能する（図８（ａ）（ｂ）（ｃ）（ｄ））。
【００７１】
図８（ａ）（ｂ）（ｃ）（ｄ）において、最上層基板３０ａ外面に設けられたスタートボタン３は円形状をなす絵柄８１を有する絵柄部となっており（図８（ａ））、最上層基板３０ａ内面に設けられた導電パターン３８もスタートボタン３に対応して円形状をなす（図８（ｂ））。
【００７２】
さらに最下層基板３０ｂ内面に設けられたスイッチ接点３１は矩形状をなし（図８（ｃ））、さらに中間層基板３０ｃにはスイッチ端子３１を囲んで円形状の切り欠き６２が形成されている（図８（ｄ））。
【００７３】
図８（ｅ）に、スタートボタン３と、導電パターン３８と、中間層基板３０ｃと、スイッチ接点３４とを重ね合わせて示す。
【００７４】
なお、図８（ｄ）において、非導電性部材として切り欠き６２を有する中間層基板３０ｃを設けた例を示したが、中間層基板３０ｃを設ける代わりに最下層基板３０ｂのうちスイッチ接点３１の周囲に非導電性インキを用いてパターンコートすることにより非導電性部材を形成してもよい。
【００７５】
あるいはまた、非導電性部材を設けることなく、最下層基板３０ｂ上に最上層基板３０ａを配置し、最上層基板３０ａに対してスタートボタン３が設けられた部分を盛り上げるエンボス加工を施して、導電パターン３８とスイッチ接点３１との間の導通を防ぐような構造をとってもよい。
【００７６】
上記実施の形態において、スタートボタン３と導電パターン３８は略同一の外形をもっているが、導電パターン３８の外形をスタートボタン３の外形より大きくとってもよい。
この場合、導電パターンがスイッチ接点部以外の箇所と通電するのを防ぐ為、スイッチ接点部以外の部分を非導電性インキでパターンコートするか、絶縁部材を設ける。
【００７７】
次にこのような構成からなる本実施の形態の作用について説明する。
【００７８】
まず上述した回路コネクタ８０を準備する。次に回路コネクタ８０と通信モジュール１０とが接続される。
【００７９】
同様にして回路コネクタ８０と導電回路１８Ａの端子部３９とが接続される。
【００８０】
このようにして、回路基板７０と、回路基板７０に回路コネクタ８０を介して接続された通信モジュール１０とを有する情報記録装置１が得られる。
【００８１】
情報記録装置１の使用に際しては、例えば最初にスタートボタン３を押圧する。この場合、スイッチボタン３に対応して導電パターン３８が形成されている。また、スイッチ端子３１は複数の第１細長状領域８２ａを有する一方の端子部８２と複数の第２細長状領域８３ａを有する他方の端子部８３とを有し、一方の端子部８２の第１細長状領域８２ａと他方の端子部８３の第２細長状領域８３ａは互いに入り込んで配置され、第１細長状領域８２ａと第２細長状領域８３ａとの間の非接触領域８５は導電パターン３８の全域に渡って形成されている。このためスタートボタン３の中央部のみならず周縁部を押圧した場合であっても導電パターン３８により第１細長状領域８２ａと第２細長状領域８３ａを確実に導通させることができる。
【００８２】
すなわち、図１１（ａ）（ｂ）（ｃ）（ｄ）に示す比較例において、最上層基板３０ａ外面に円形状の絵柄８１を含むスタートボタン３が設けられている（図１１（ａ））。また最上層基板３０ａ内面に円形状の導電パターン３８が設けられ（図１１（ｂ））、スイッチ端子３１は一方の端子部８２と他方の端子部８３とを有し、最下層基板３０ｂ内面に設けられている（図１１（ｃ））。一方の端子部８２と他方の端子部８３との間には、非接触領域８５が形成され、この非接触領域８５は導電パターン３８の中央部のみに対応して配置されている。
【００８３】
図１１（ｄ）に、スタートボタン３と、導電パターン３８と、スイッチ端子３１とを重ね合わせて示す。
【００８４】
図１１（ａ）〜（ｄ）に示す比較例において、非接触領域８５は導電パターン３８の中央部のみに対応して配置されているため、スタートボタン３の周縁部を押圧した場合はスイッチ接点３１が確実に閉とならず作動不良を起こすことが考えられる。
【００８５】
これに対して本実施の形態によれば、スタートボタン３の中央部および周縁部のいずれを押圧した場合であっても、導電パターン３８によりスイッチ接点３１を確実に閉とすることができる。
【００８６】
＜変形例＞
次に本実施の形態の変形例について説明する。
【００８７】
図６（ａ）（ｂ）（ｃ）（ｄ）および図７に示す実施の形態において、最上層基板３０ａの外面に円形状の絵柄８１を含むスタートボタン３を設け、最上層基板３０ａの内面に円形状の導電パターン３８を設けた例を示したが、これに限らず最上層基板３０ａの外面に矩形状の絵柄８１を含むスタートボタン３を設けるとともに（図９（ａ））、最下層基板３０ｂの内面に矩形状の導電パターン３８を設けてもよい（図９（ｂ））。
【００８８】
また図９（ｃ）に示すように、最下層基板３０ｂの内面に矩形状のスイッチ端子３１が設けられ、このスイッチ端子３１は図７に示すスイッチ端子と同様の構成をもつ。なお、図９（ｃ）に示すスイッチ端子３１は導電パターン３８と略同一の外形をもつ。
【００８９】
図９（ｄ）にスタートボタン３と、導電パターン３８と、スイッチ端子３１とを重ね合わせて示す。
【００９０】
図９（ａ）〜（ｄ）において、スタートボタン３の中央部のみならず周縁部を押圧した場合であっても、導電パターン３８により第１細長状領域８２ａと第２細長状領域８３ａとを確実に導通させることができる。
【００９１】
次に図９（ａ）〜（ｄ）に示す変形例に対して、図１２（ａ）〜（ｄ）に示す比較例を示す。図１２（ａ）〜（ｄ）に示す比較例において、最上層基板３０ａ外面に矩形状の絵柄８１を含むスタートボタン３が設けられ（図１２（ａ））、最上層基板３０ａ内面に矩形状の導電パターン３８が設けられている（図１２（ｂ））。また図１２（ｃ）に示すように、スイッチ端子３１の一方の端子部８２と他方の端子部８３との間に形成された非接触領域８５は、導電パターン３１の中央部のみに対応して配置されている。このためスタートボタン３の周縁部を押圧した場合は、スイッチ接点３１が確実に閉とならずに、作動不良を起こすことが考えられる。
【００９２】
図１２（ｄ）に、スタートボタン３と、導電パターン３８と、スイッチ端子３１とを重ね合わせて示す。
【００９３】
これに対して図９（ａ）〜（ｄ）に示す変形例においては、スタートボタン３の中央部および周縁部のいずれを押圧した場合であっても、導電パターン３８によりスイッチ接点３１を確実に閉とすることができる。
【００９４】
次に図１０（ａ）（ｂ）により、他の変形例を示す。図１０（ａ）に示す変形例は、スイッチ端子３１が一方の端子部８２と他方の端子部８３とを有するとともに、一方の端子部８２および他方の端子部８３が各々、互いに入り込む渦巻型の湾曲状第１細長状領域８２ａと、渦巻型の湾曲状第２細長状領域８３ａとを有するものである。
【００９５】
また第１細長状領域８２ａと第２細長状領域８３ａとの間に帯状に延びる湾曲状の非接触領域８５が形成され、この非接触領域８５は導電パターン３８の全域に対応して配置される。
【００９６】
図１０（ａ）において、他の構成は図１乃至図８に示す実施の形態と略同一である。
【００９７】
あるいは図１０（ｂ）に示すようにスイッチ端子３１が一方の端子部８２と他方の端子部８３とを有し、一方の端子部８２と他方の端子部８３は各々互いに入り込む矩形状の第１細長状領域８２ａと矩形状の第２細長状領域８３ａとを有していてもよい。
【００９８】
また第１細長状領域８２ａと第２細長状領域８３ａとの間に帯状に延びる湾曲状の非接触領域８５が形成され、この非接触領域８５は導電パターン３８の全域に対応して配置される。
【００９９】
図１０（ｂ）において、他の構成は図１乃至図８に示す実施の形態と略同一である。
【０１００】
なお、上記実施の形態および変形例において、スタートボタン３が円形状または矩形状の絵柄８１を有する例を示したが、絵柄８１の形状は円形状、矩形状の他、三角形、台形を有していてもよい。
【０１０１】
＜具体的実施例＞
次に評価用サンプルを用いて評価試験を行った。その結果を図１３乃至図２２により説明する。
【０１０２】
（導通しやすさ評価）
まず評価サンプルを次のように準備した。
【０１０３】
台紙９１の上に、導電回路１８Ａを印刷した。スイッチ端子（スイッチ接点）３１は３箇所設けた。導電回路１８Ａの一部には異方導電性接着剤を介して通信モジュール１０を接続した（図１３（ａ））。
【０１０４】
次にスイッチ端子３１に対応した、絵柄８１を含むスタートボタン３を有する台紙９２を用意した（図１３（ｂ））。スタートボタン３の大きさは１２×１２ｍｍとした。
【０１０５】
台紙９２の裏面に、スタートボタン３とほぼ同じ大きさの、スイッチ端子用導電部（導電パターン）３８を設けた。
【０１０６】
台紙９２のスタートボタン３には、絵柄８１側が凸となるよう、エンボス処理を施した。
【０１０７】
スイッチ端子３１と、スイッチ端子用導電部３８を重ねあわせ、記録装置を作成し、実施例１とした（図１３（ｃ））。
【０１０８】
次に、台紙９１の上に、大きめのスイッチ端子３１を３箇所設けた導電回路１８Ａを印刷した。導電回路１８Ａの一部には異方導電性接着剤を介して通信モジュール１０を接続した。（図１４（ａ））。
【０１０９】
次に絵柄８１を含むスタートボタン３を有する台紙９２を用意した。スタートボタン３の大きさはφ１４ｍｍとした（図１４（ｂ））。
【０１１０】
台紙９２の裏面に、スタートボタン３とほぼ同じ大きさの、スイッチ端子用導電部３８を設けた。
【０１１１】
台紙９２のスタートボタン３には、絵柄８１側が凸となるよう、エンボス処理を施した。
【０１１２】
スイッチ端子３１と、スイッチ端子用導電部３８を重ねあわせ、記録装置を作成し、実施例２とした（図１４（ｃ））。
【０１１３】
次に、台紙９１の上に、大きめのスイッチ端子３１を３箇所設けた導電回路１８Ａを印刷した。導電回路１８Ａの一部には異方導電性接着剤を介して通信モジュール１０を接続した（図１５（ａ））。
【０１１４】
次に絵柄８１を含むスタートボタン３を有する台紙９２を用意した（図１５（ｂ））。また絵柄８１およびスイッチ端子３１に対応する部分に切り欠き９０ａを有するスペーサ（非導電性部材）９０を用意した（図１５（ｃ））。
【０１１５】
スタートボタン３には、エンボス加工は施さなかった。スタートボタン３の大きさはφ１４ｍｍとした。
【０１１６】
次に導電回路１８Ａ上にスペーサ９０を重ねた（図１６（ａ））。次に、スペーサ９０上にスタートボタン３を重ね合わせ、実施例３となる記録装置を作成した（図１６（ｂ））。
【０１１７】
なお、台紙９２の裏面には、スイッチ端子用導電部３８をスタートボタン３の絵柄８１と同じ大きさになるよう設けた。
【０１１８】
次に比較１として、台紙９１にスイッチ端子３１を３箇所設けた導電回路１８Ａを作成した（図１７（ａ））。導電回路１８Ａの一部には異方導電性接着剤を介して通信モジュール１０を接続した。
【０１１９】
実施例１と同様、台紙９２にエンボスのかかったスタートボタン３を用意し（図１７（ｂ））、スイッチ端子３１とスイッチ端子用導電部３８とを重ね合わせ、記録装置を作成し、比較例１とした（図１７（ｃ））。
【０１２０】
この場合、スイッチ端子３１としては、一方の端子部８２と他方の端子部８３とを有し、一方の端子部８２と他方の端子部８３との間の非接触領域８５がスイッチ端子用導電部３８の中央部のみに対応して配置されているものを用いた（図１１（ｃ）および図１２（ｃ）参照）。
【０１２１】
次に、比較例２として、台紙９１にスイッチ端子３１を３箇所設けた導電回路１８Ａを作成した（図１８（ａ））。導電回路１８Ａの一部には異方導電性接着剤を介して通信モジュール１０を接続した。
【０１２２】
実施例２と同様、台紙９２にエンボスのかかったスタートボタン３を用意し（図１８（ｂ））、スイッチ端子３１とスイッチ端子用導電部３８とを重ね合わせ、記録装置を作成し、比較例２とした（図１８（ｃ））。
【０１２３】
この場合、スイッチ端子３１としては、一方の端子部８２と他方の端子部８３とを有し、一方の端子部８２と他方の端子部８３との間の非接触領域８５がスイッチ端子用導電部３８の中央部のみに対応して配置されているものを用いた（図１１（ｃ）および図１２（ｃ）参照）。
【０１２４】
比較例３として、台紙９１にスイッチ端子３１を３箇所設けた導電回路１８Ａを作成し、導電回路１８Ａに通信モジュール１０を接続した（図１９（ａ））。
【０１２５】
次に台紙９２に絵柄８１を有するスタートボタン３を設け、台紙９２にはエンボス加工は施さなかった。スタートボタン３の絵柄８１の大きさはφ１４ｍｍとした（図１９（ｂ））。
【０１２６】
次に導電回路１８Ａの上に、切り欠き９０ａを有するスペーサ９０を重ねた（図１９（ｃ）および図２０（ａ））。次にスペーサ９０上に台紙９２を重ね合わせ、スイッチ端子３１上にスイッチ端子用導電部３８を配置して、比較例３となる記録装置を作成した（図２０（ｂ））。
【０１２７】
この場合、スイッチ端子３１としては、一方の端子部８２と他方の端子部８３とを有し、一方の端子部８２と他方の端子部８３との間の非接触領域８５がスイッチ端子用導電部３８の中央部のみに対応して配置されているものを用いた（図１１（ｃ）および図１２（ｃ）参照）。
【０１２８】
次にこれらの記録装置を使い、絵柄８１を有するスタートボタン３上で、図２１に示す指定箇所（１）（２）（３）（４）（５）あるいは図２２に示す指定箇所（１）（２）（３）（４）（５）を設定し、φ５ｍｍの先が平たい円柱棒で押圧し、導通の有無を評価した。
【０１２９】
実施例１と比較例１は図２１に示す方法で導通のし易さを評価し、実施例２、３と比較例２、３は図２２に示す方法で導通のし易さを評価した。
【０１３０】
導電のし易さの評価結果を表１に示す。
【０１３１】
実施例１〜３および比較例１〜３において、スタートボタン３としては、Ａ、Ｂ、Ｃ、３種類のスタートボタンについて導通の有無の評価を行った。
【表１】
2017220378.tif 000003
【０１３２】
表１に示すように、実施例１、２、３では、指定箇所（１）〜（５）のうちどこを押しても導通するのに対し、比較例１において指定箇所（２）〜（５）では導通せず、比較例２、３において、指定箇所（２）（４）では導通しなかった。
【０１３３】
（ボタン導通評価）
次に実施例１、２、３および比較例１、２、３を用いて、使用者がボタンＡ、Ｂ、Ｃの順で、３回ずつ、合計９回連続でボタンを押し、記録をとった。
【０１３４】
このとき、ボタンＡ、Ｂ、Ｃを押して導通させても、通信モジュール１０から音は鳴らない設定とし、作用者は押したときに導通したか、しないかはわからない。
【０１３５】
使用者の一人が押し終わった後ごとに、通信モジュール１０からデータを吸い上げ、導通の有無を確認した。
【０１３６】
使用者は男女合わせて５人とした。
【０１３７】
ボタン導通評価結果を表２に示す。
【表２】
2017220378.tif 000004
【０１３８】
表２に示すように、実施例１、２、３では５人全て成功したのに対し、比較例１、２、３ではが押し損ねた人がいた。
【０１３９】
以上の結果から、実施例１、２、３の記録装置を用いることで、押し損ねをなくすことが示された。
【符号の説明】
【０１４０】
１  服薬記録カード
２  情報入力面
３  スタートボタン
４  取り消しボタン
５  薬（錠剤）
６（６ａ〜６ｅ）  選択ボタン
７（７ａ〜７ｃ）  選択ボタン
１０  通信モジュール
１１  フィルム基板
１２  ＡＳＩＣ
１３  水晶振動子
１４  ボタン電池
１５  スピーカ
１６  パッド
１７  アンテナパターン
１８  導電パターン
１８Ａ  導電回路
１８ａ  接地パターン
３０  紙基板
３０ａ，３０ｂ，３０ｃ  分割基板
３０ｂ１  第１パターン面
３０ｂ２  第２パターン面
３０ｂ３  第３パターン面
３１〜３７  スイッチ接点（スイッチ端子）
３８  導電パターン（スイッチ端子用導電部）
３９  端子部
６２  孔（切り欠き）
６３  ミシン目
７０  回路基板
８０  回路コネクタ
８１  絵柄
８２  一方の端子部
８２ａ  第１細長状領域
８３  他方の端子部
８３ａ  第２細長状領域
８５  非接触領域
９０  スペーサ
９１  台紙
９２  台紙
【図１】
2017220378.tif 000005
【図２】
2017220378.tif 000006
【図３】
2017220378.tif 000007
【図４】
2017220378.tif 000008
【図５】
2017220378.tif 000009
【図６】
2017220378.tif 000010
【図７】
2017220378.tif 000011
【図８】
2017220378.tif 000012
【図９】
2017220378.tif 000013
【図１０】
2017220378.tif 000014
【図１１】
2017220378.tif 000015
【図１２】
2017220378.tif 000016
【図１３】
2017220378.tif 000017
【図１４】
2017220378.tif 000018
【図１５】
2017220378.tif 000019
【図１６】
2017220378.tif 000020
【図１７】
2017220378.tif 000021
【図１８】
2017220378.tif 000022
【図１９】
2017220378.tif 000023
【図２０】
2017220378.tif 000024
【図２１】
2017220378.tif 000025
【図２２】
2017220378.tif 000026